(57)【特許請求の範囲】
【請求項１】
未使用の券紙が積層収納される収納部と、この収納部内に収納された券紙を１枚ずつ磁気リード・ライト部へ搬送する第１のスライダーと、前記搬送された券紙に前記磁気リード・ライト部で磁気書き込みを施すとともに、その書き込み内容を読み取り確認した券紙を乗車券として出口へ搬送する第２スライダーとを備え、前記磁気リード・ライト部では前記券紙が静止するとともに、この券紙上を磁気ヘッドが移動することにより、前記磁気記録の書き込みと読み取りを行う車内補充券発行機であって、前記車内補充券発行機には前記収納部底面に設けられた歯車と、この歯車の一方の面に設けられた第１の凸部と、他方の面に設けられた第２の凸部とを有し、前記第１のスライダーは前記第１の凸部と嵌合されて前記歯車が半回転することによって収納部内の券紙を磁気リード・ライト部へ搬送し、前記第２のスライダーは次の半回転で前記第２の凸部と噛み合わされて前記券紙を出口側へ搬送するとともに、前記券紙の出口側への排出が完了した場合に、前記第２のスライダーと前記凸部との噛み合いが外れ、前記第２のスライダーを初期位置へ復帰させる車内補充券発行機。
【請求項２】
磁気リード・ライト部の一方の側面に設けたガイドと、他方の側面に設けて、駆動力が伝達されたリードスクリューとを備え、このリードスクリューと前記ガイド上にまたがる支持部に磁気ヘッドが載置された請求項１記載の車内補充券発行機。
【請求項３】
略直方体形状の筐体内に収納部と磁気リード・ライト部とを略並列に配するとともに、前記磁気リード・ライト部と出口との間に印字部を配した請求項１記載の車内補充券発行機。
【発明の詳細な説明】
【０００１】
【発明の属する技術分野】
本発明は、列車等の車内において乗車区間の変更に伴う運賃精算の際に使用する磁気化券発券可能な車内補充券発行機に関するものである。
【０００２】
【従来の技術】
以下、従来の車内補充券発行機について説明する。
【０００３】
図１１は、従来の車内補充券発行機の磁気化券発券部の断面図である。
【０００４】
図１１において、１は券紙であり、２は車内補充券発行機の筐体である。この筐体２内には券紙１が積層収納される収納ケース３と、この収納ケース３の後方に連絡され、磁気リード・ライト、及び印字を行う券紙用通路４が配置されている。そして、５は券紙出口で前記券紙用通路４の後端に設けられている。券紙用通路４には、収納ケース３側から順に券紙搬送用の駆動ローラー６と７が券紙長の略２倍のピッチで配設されている。また、駆動ローラー６と７の中間位置に券紙１に対して磁気情報の書き込み、及び読み取りを行う磁気ヘッド８が配設され、また、駆動ローラー７と券紙出口５の間には券紙用通路４を挟んで磁気ヘッド８の反対側の面に券紙１に印字を行うための印字ヘッド９が配設されている。
【０００５】
このように構成された車内補充券発行機について、以下にその動作を説明する。
【０００６】
図１１において、図示せぬ給紙メカニズムにより、収納ケース３から積層収納された券紙１が１枚ずつ券紙用通路４に送り出されると、図示せぬ制御手段により、駆動ローラー６が券紙１をＡ方向に搬送し、券紙１の先端が磁気ヘッド８と駆動ローラー７の間を搬送する過程において、磁気ヘッド８により所定の磁気情報が券紙１に書き込まれる。その後、券紙１をＢ方向に搬送する過程において読み取りを行い、乗車券としての磁気情報が正しく書き込まれているか否かの確認を行う。磁気情報の確認結果が有効であれば、券紙１は更にＡ方向に搬送され、印字ヘッド９により所定の印字を行い、結果として、券紙１は乗車券として完成されて券紙出口５から排出される。
【０００７】
即ち、従来の車内補充券発行機の磁気化券発券部においては、収納ケース３内に積層収納された券紙１を１枚ずつ券紙用通路４に搬送し、この券紙用通路４で券紙が往復運動することにより磁気情報の書き込み、あるいは読み取りが行われていた。そして、この券紙１は次に印字ヘッド９で印字されて券紙出口５から排出されていた。
【０００８】
【発明が解決しようとする課題】
しかしながら、このような従来の構成では、磁気情報の書き込み、読み取りは、券紙用通路４内を券紙１がＡ，Ｂ方向に移動することが必要なので、どうしても磁気情報の書き込みと読み取りを行う券紙用通路４は、券紙１の長さの略２倍が必要となり、結果として車内補充券発行機を構成する筐体が長大化するという問題があった。
【０００９】
本発明は、このような問題点を解決するもので筐体を小型化した車内補充券発行機を提供することを目的としたものである。
【００１０】
【課題を解決するための手段】
この目的を達成するために本発明の車内補充券発行機は、収納部底面に設けられた歯車には、この歯車の一方の面に設けられた第１の凸部と、他方の面に設けられた第２の凸部とを有し、前記第１の凸部と嵌合されるとともに前記歯車を半回転させ収納部内の券紙を磁気リード・ライト部へ搬送する第１のスライダーと、前記第２の凸部と嵌合されるとともに次の半回転によって前記券紙を出口側へ搬送する第２のスライダーとを有し、前記券紙を出口側への排出が完了した場合に、前記第２のスライダーと前記凸部との噛み合いが外れ、前記第２のスライダーを初期位置へ復帰させるものである。
【００１１】
この構成により、券紙が静止した状態で磁気ヘッドが券紙上を移動するので、磁気リード・ライト部のスペースは券紙と略同一サイズで良いことになる。また、券紙収納部から磁気リード・ライト部への券紙送り出しと、磁気リード・ライト部から出口への券紙送り出しを同一駆動源である歯車で行うことができるので、駆動源を削減でき、磁気化券発券部が小型化された車内補充券発行機を提供することができる。
【００１２】
【発明の実施の形態】
以下、本発明の一実施の形態について図面を参照しながら説明する。
【００１３】
図１は、本発明の一実施の形態における車内補充券発行機の磁気化券発券部の待機状態を示す平面図であり、図２は、同断面図である。
【００１４】
図１、図２において、略直方体形状の筐体１０内に、券紙１を積層収納する収納部１１と、磁気情報の書き込みと読み取りを行う磁気リード・ライト部１２が略平行に配置されている。そして、この磁気リード・ライト部１２と、筐体１０の側面に設けられた出口１３との間には印字ヘッド１４が配置されている。
【００１５】
前記収納部１１の下方には、収納部１１に積層収納された券紙１を磁気リード・ライト部１２に送り出す第１の搬送手段が配設されている。
【００１６】
この第１の搬送手段は、長孔１６ａと、券紙１を磁気リード・ライト部１２へ送り出すための券紙送り出し用爪部１６ｂを有するスライダー１６と、このスライダー１６の下に配置され、１５ａを回転中心とする歯車１５から構成されている。前記歯車１５には、収納部１１側の面上に凸部１５ｂが設けられ、この凸部１５ｂは前記スライダー１６の長孔１６ａとは滑動可能な嵌合状態にある。また、歯車１５の他方の側の面上には、前記凸部１５ｂに対しθ角度ずらした位置に凸部１５ｃが設けられている。
【００１７】
また、前記磁気リード・ライト部１２には、券紙１に磁気情報の書き込みと読み取りを行うための磁気ヘッド１９を移動させる移動機構が配設されている。
【００１８】
次にこの磁気ヘッド１９の移動機構について説明する。前記磁気リード・ライト部１２の一方の側面に材質がステンレス鋼で表面の面粗度が良好なガイド１７が設けられるとともに、他方の側面には材質が金属で歯形精度の良好なリードスクリュー１８が設けられている。そして、このガイド１７とリードスクリュー１８との間には、磁気ヘッド１９を搭載した磁気ヘッド支持部２０が載置されている。磁気リード・ライト部１２の待機状態においては、前記磁気ヘッド１９が第１の搬送手段による磁気リード・ライト部１２への券紙１の送り出しに関して、支障を来さない位置に支持されている。また、磁気ヘッド支持部２０は、リードスクリュー１８の回転により、Ｅ，Ｆ方向に往復動作可能となっている。特に、この磁気ヘッド支持部２０のガイド１７との嵌合部においては、クリアランスが小さく、且つスムーズに摺動するための嵌め合い設定がなされるとともに、リードスクリュー１８との嵌合部は、噛み合い誤差の小さい精密な雌ネジ構造を有している。なお、２１はモータであり、このモータ出力軸には傘歯車２２が設けられ、また、前記リードスクリュー１８の端には傘歯車２３が設けられ、この傘歯車２３と前記傘歯車２２が噛み合った状態に配設されている。
【００１９】
また、前記磁気リード・ライト部１２には、券紙１に磁気情報を書き込む際に券紙１を静止させるためのストッパー機構と、券紙１を前記印字ヘッド１４部へ送り出すための第２の搬送手段が配設されている。
【００２０】
次にこのストッパー機構について説明する。２４は、磁気情報の書き込みを行う際、券紙１を静止させるための券紙用ストッパーである。この券紙用ストッパー２４は、回動中心２４ａと、券紙ストッパー部２４ｂと、レバー部２４ｃが設けられている。また、前記券紙用ストッパー２４のレバー部２４ｃに嵌合して、Ｅ，Ｆ方向に往復動作可能に支持されたスライダー２５が載置されている。このスライダー２５には、券紙用ストッパー２４の券紙ストッパー部２４ｂが券紙用通路２６に突出する方向に付勢するためのバネ２７が取り付けられている。図１、図２の待機状態においては、スライダー２５のレバー部２５ａが磁気ヘッド支持部２０に噛み合うため、結果として券紙用ストッパー２４の券紙ストッパー部２４ｂが券紙用通路２６に突出しない構成となっている。
【００２１】
次に、券紙１を前記印字ヘッド１４部へ送り出すための前記第２の搬送手段について説明する。２８はＥ，Ｆ方向に往復動作可能に支持されたスライダーであり、バネ２９により通常は図１、及び図２の位置に付勢されている。なお、このスライダー２８には券紙送り出し用ピン部２８ａと、前記歯車１５の凸部１５ｃが噛み合う位置にレバー部２８ｂが設けられている。
【００２２】
以上のように構成された車内補充券発行機について、以下にその動作を説明する。
【００２３】
まず、第１の搬送手段により、収納部１１に積層収納された券紙１を磁気リード・ライト部１２へ送り出す動作について説明する。
【００２４】
図１、及び図２において、まず、図示せぬ駆動源により歯車１５がＧ方向に半回転する。この時、歯車１５に設けられた凸部１５ｂとスライダー１６に設けられた長孔１６ａは滑動可能に嵌合した状態であるため、歯車１５の回転により、スライダー１６がＣ方向に移動する。スライダー１６には券紙送り出し用爪部１６ｂが設けられているため、結果として、収納部１１内に積層収納された券紙１の内、券紙送り出し用爪部１６ｂに当接していた１枚の券紙１が、磁気リード・ライト部１２に搬送される。図３は、券紙１が磁気リード・ライト部１２に搬送された状態を示す平面図であり、図４は、同断面図である。
【００２５】
次に、券紙１に対して磁気情報の書き込みを行う動作について説明する。
【００２６】
図３、及び図４において、磁気リード・ライト部１２への券紙搬送が完了すると、図示せぬ制御手段によりモータ２１が回転して、傘歯車２２と２３により、リードスクリュー１８が回転し、磁気ヘッド支持部２０がＥ方向へ移動し始める。この時、磁気ヘッド１９がＥ方向に移動し、券紙１に磁気ヘッド１９が圧接する前に、バネ２７によりスライダー２５もＥ方向へ移動する。よって、スライダー２５と連動する券紙用ストッパー２４が回転中心２４ａを中心に回動することにより、券紙ストッパー部２４ｂが券紙用通路２６に突出して、券紙１を静止させる。図５は、券紙ストッパー部２４ｂが券紙用通路２６に突出した状態を示す断面図である。
【００２７】
図５において、更にモータ２１を回転させると、磁気ヘッド支持部２０がＥ方向に移動し、磁気ヘッド１９が券紙１に圧接され、磁気情報の書き込みを行う。なお、この磁気情報の書き込みにおいては、磁気情報を図示せぬリードスクリュー１８の回転角度を検知する検知手段からの信号に同期させることにより、券紙１に磁気情報を記録している。図６は、券紙１への磁気情報の書き込みが完了した状態を示す平面図であり、図７は、同断面図である。
【００２８】
次に、券紙１に対して記録した磁気情報に関して、正しく情報が書き込まれたか否かの読み取り確認を行う動作について説明する。
【００２９】
図７において、券紙１への磁気情報の書き込みが完了すると、図示せぬ制御手段により、モータ２１を逆回転させて、磁気ヘッド支持部２０がＦ方向に搬送する。この時、磁気ヘッド１９により、券紙１に対して書き込んだ前述の磁気記録情報に関して、読み取り確認を行う。なお、この時、スライダー２８の券紙送り出し用ピン部２８ａにより、券紙１は静止している。読み取り確認が完了すると、磁気リード・ライト部１２は、図３、及び図４に示す状態に戻り、券紙用ストッパー２４の券紙ストッパー部２４ｂは券紙用通路２６に突出していない状態となる。
【００３０】
次に、磁気リード・ライト部１２に位置する読み取り確認済みの券紙１を印字ヘッド１４部へ送り出す第２の搬送手段の動作について説明する。
【００３１】
図３、及び図４において、磁気リード・ライト部１２に位置する読み取り確認済みの券紙１が、図示せぬ制御手段により、磁気記録情報において乗車券として有効であると判断した場合、図示せぬ駆動源により歯車１５が更にＧ方向に回転する。この時、スライダー１６の券紙送り出し用爪部１６ｂが復帰し始めるとほぼ同時に、歯車１５の凸部１５ｃがスライダー２８のレバー部２８ｂと噛み合い、スライダー２８はＥ方向に移動する。スライダー２８には、券紙１に当接する位置に券紙送り出し用ピン部２８ａが設けられているため、結果として、磁気リード・ライト部１２に位置していた券紙１もＥ方向に印字ヘッド１４部まで搬送される。図８は、第２の搬送手段により、券紙１が印字ヘッド１４部まで搬送された状態を示す平面図である。
【００３２】
図８において、第２の搬送手段により印字ヘッド１４部まで、券紙１の搬送が完了すると、歯車１５は更にＧ方向に初期位置まで回転する。この時、歯車１５の凸部１５ｃとスライダー２８のレバー部２８ｂの噛み合いが外れて、バネ２９によりスライダー２８はＦ方向に移動して、磁気リード・ライト部１２は初期位置に復帰する。図９は、第２の搬送手段の動作が完了した状態を示す平面図である。
【００３３】
図９において、印字ヘッド１４部まで搬送された券紙１は、図示せぬ駆動手段により、搬送されながら印字ヘッド１４により券面上に乗車券としての印字が行われ、出口１３から乗車券として排出される。図１０は、出口１３から券紙１が排出された状態を示す平面図である。
【００３４】
以上のように本実施の形態によれば、車内補充券発行機の磁気化券発券部において、略直方体形状の筐体１０内に券紙収納部１１と磁気リード・ライト部１２とを略並列配置し、出口１３側に印字ヘッド１４部を配設することにより、磁気化券発券部が小型化された車内補充券発行機を提供することができる。また、磁気情報の書き込み、読み取りにおいては、静止した券紙上を精密な歯形精度をもつリードスクリュー１８により磁気ヘッド１９が移動するので、磁気リード・ライト部１２のスペースは、券紙１と略同一サイズで良いことになり、磁気化券発券部が小型化された車内補充券発行機を提供することができる。また、券紙収納部１１から磁気リード・ライト部１２への券紙送り出しと、磁気リード・ライト部１２から印字ヘッド１４部への券紙送り出しを同一駆動源である歯車１５で行っているため、駆動源を削減でき、結果として、磁気化券発券部が小型化された車内補充券発行機を提供することができる。
【００３５】
【発明の効果】
以上のように本発明によれば、磁気リード・ライト部では券紙が静止するとともに、この券紙上を磁気ヘッドが移動することにより、磁気記録の書き込みと読み取りを行う構成としているので、磁気リード・ライト部のスペースは券紙と略同一サイズで良いことになり、磁気化券発券部が小型化された車内補充券発行機を提供することができる。
【００３６】
また、券紙収納部から磁気リード・ライト部への券紙送り出しと、磁気リード・ライト部から出口への券紙送り出しを同一駆動源である歯車で行うことができるので、さらに車内補充券発行機の小型化を実現することができる。
【図面の簡単な説明】
【図１】本発明の一実施の形態による車内補充券発行機の磁気化券発券部の平面図
【図２】図１の断面図
【図３】本発明の一実施の形態による車内補充券発行機の磁気化券発券部の磁気リード・ライト部への券紙搬送が完了した状態を示す平面図
【図４】図３の断面図
【図５】本発明の一実施の形態による車内補充券発行機の磁気化券発券部の磁気リード・ライト部における書き込み時の券紙ストッパーの状態を示す断面図
【図６】本発明の一実施の形態による車内補充券発行機の磁気化券発券部の磁気リード・ライト部における券紙への書き込み動作完了状態を示す平面図
【図７】図６の断面図
【図８】本発明の一実施の形態による車内補充券発行機の磁気化券発券部の磁気リード・ライト部における印字ヘッド部までの券紙搬送状態を示す平面図
【図９】本発明の一実施の形態による車内補充券発行機の磁気化券発券部の磁気リード・ライト部における第２の搬送手段の動作が完了した状態を示す平面図
【図１０】本発明の一実施の形態による車内補充券発行機の磁気化券発券部の券紙排出状態を示す平面図
【図１１】従来の車内補充券発行機の磁気化券発券部の断面図
【符号の説明】
１  券紙
１０  筐体
１１  券紙収納部
１２  磁気リード・ライト部
１５  歯車
１６  スライダー
１９  磁気ヘッド
２４  券紙用ストッパー
２８  スライダー
【図１】
0003558075.tif 000002
【図２】
0003558075.tif 000003
【図３】
0003558075.tif 000004
【図４】
0003558075.tif 000005
【図５】
0003558075.tif 000006
【図６】
0003558075.tif 000007
【図７】
0003558075.tif 000008
【図８】
0003558075.tif 000009
【図９】
0003558075.tif 000010
【図１０】
0003558075.tif 000011
【図１１】
0003558075.tif 000012